(57)【特許請求の範囲】
【請求項１】
道路の端に設置するゴミ集積ボックスで、背面側の囲い部材の左右両端部に対して、中折れして偏平に折り畳み可能なよう前後の分割部材で構成される左右側面側の囲い部材の後端を回動自在に軸着し、該左右側面側の囲い部材の前端に対して前面側の囲い部材の端部を回動自在に軸着し、前記背面側の囲い部材の中央と前面側の囲い部材の中央とを中折れ自在な支持アームで連結し、背面側の囲い部材と前面側の囲い部材とのそれぞれの上部の少なくとも左右両端と中央に枠状の支持部材を突設し、該支持部材で防護ネットを支持するようにして背面側、前面側および左右側面側の囲い部材の上方を防護ネットで覆い、背面側の囲い部材を囲むようにコ字形の門型のポールを立設し、該ポールに背面側の囲い部材を固定し、前記ポールには植木鉢の保持棚と広告板を設けたゴミ集積ボックスにおいて、前記ポールおよび防護ネットにテグスを設けることを特徴とするゴミ集積ボックス。
【請求項２】
前記ポールの側面に、清掃用具を掛止し、保護部材を備えたフックを設ける請求項１に記載のゴミ集積ボックス。
【請求項３】
前記前面側の囲い部材の中央に位置する支持部材の上部に把手を取り付け、前記支持部材間に索条を着脱自在に取り付ける請求項１に記載のゴミ集積ボックス。
【請求項４】
前記囲い部材内に複数の分別ゴミの収容容器を着脱自在に取り付ける請求項１から請求項３のいずれかに記載のゴミ集積ボックス。
【請求項５】
前記前面側の支持部材と背面側の支持部材との間に索条を架け渡し、該索条に取り付けた係止部材および前記支持部材で分別ゴミの収容容器を吊支する請求項４記載のゴミ集積ボックス。
【請求項６】
前記ポールは、アンカーボルトを介して擁壁などの構築物に固定する請求項１または請求項２に記載のゴミ集積ボックス。
【発明の詳細な説明】
【０００１】
【発明の属する技術分野】
本発明は、一般家庭等から出される一般ゴミの集積所に設置し、また、缶類、ビン類などの分別ゴミの収容用として公園などの公共場所などに設置可能なゴミ集積ボックスに関するものである。
【０００２】
【従来の技術】
一般家庭から出される一般ゴミは、多くの場合、道路端などに設定された所定のゴミ集積場所に所定の曜日の所定の時間に出し、ゴミ収集車がこのゴミを収集し、焼却場に運搬し焼却処理している。
【０００３】
かかるゴミ集積場所は、前記のように道路端等の特定の場所を指定するものであるが、ここに集積するゴミがちらばらないように、また、集積場所を明示するようにゴミ集積ボックスを設置する所もあり、このゴミ集積ボックスとしては、従来、例えば周囲を完全に閉塞しゴミ出し入れ用の扉を設けたコンテナ状のタイプのものや、上面のみを開放面に形成した囲い形状のものなど種々のタイプがあり、これらのゴミ集積ボックスは集積場所に常設されている。
【０００４】
そして、このようなゴミ集積ボックスは近年、家庭から出されるゴミの量が増加していることもあって、大きさが例えば奥行き１〜２ｍ、長さ方向の幅が２〜３ｍ程度の大型のものとなっている。
【０００５】
一方、駅前、公園、野球場、霊園、公民館、体育館などの公共場所や、工場内、スーパー駐車場等では、種々のタイプのゴミが捨てられるが、これらのゴミは、各種類のゴミをまとめていっしょに収集し、その後、回収業者などが、例えば、缶類、ビン類、ペットボトルなどのプラスチック類、紙屑などの可燃ゴミに分別して処分場に搬入したり、または、公園などの各施設で分別ゴミ毎に別のゴミ箱を設置し、利用者の判断でゴミの種類によってそれぞれのゴミ箱に捨てるようにしている。
【０００６】
【発明が解決しようとする課題】
一般の家庭ゴミの収集は所定曜日の所定時間にのみ行われるものであるにもかかわらず、前記のようなゴミ集積ボックスが歩道や車道の端に常時設置されると、ボックス単体が道路上で占有する容積が大きく道路中央に向かって大きく突出し、しかも、これが道路端にそって比較的短い間隔で設置されているため、歩行や車両通行に常時支障を来し、交通事故を誘発するおそれもある。
【０００７】
また、ゴミ収集日や時間以外の時にもゴミが出されるおそれがあり、ゴミ集積場所が汚れ、街の景観を損なうことにもなる。
【０００８】
一方、公園などの公共場所などでは、全てのゴミを分別しないでまとめて収集する場合は、その後の分別作業に時間と手間を要する。これに対して、分別ゴミ毎に異なるゴミ箱を設置する場合は、複数のゴミ箱が並び、周囲の景観を損なうおそれもある。
【０００９】
本発明の目的は前記従来例の不都合を解消し、道路端にゴミ集積ボックスを設置する場合に、ゴミ収集日の収集が終了した後はこのゴミ集積ボックスが道路に大きく突出することがなく、歩行者や自動車の通行の邪魔になることを防止でき、そのためにゴミ集積ボックスを折り畳んだり広げたりする開閉操作もワンタッチで容易に行えて使い勝手がよく、また、特に公園などの公共場所に設置する場合であっても周囲の景観を損なうおそれがなく、分別ゴミの収集も容易なゴミ集積ボックスを提供することにある。
【００１０】
【課題を解決するための手段】
本発明は前記目的を達成するため、第１に、道路の端に設置するゴミ集積ボックスで、背面側の囲い部材の左右両端部に対して、中折れして偏平に折り畳み可能なよう前後の分割部材で構成される左右側面側の囲い部材の後端を回動自在に軸着し、該左右側面側の囲い部材の前端に対して前面側の囲い部材の端部を回動自在に軸着し、前記背面側の囲い部材の中央と前面側の囲い部材の中央とを中折れ自在な支持アームで連結し、背面側の囲い部材と前面側の囲い部材とのそれぞれの上部の少なくとも左右両端と中央に枠状の支持部材を突設し、該支持部材で防護ネットを支持するようにして背面側、前面側および左右側面側の囲い部材の上方を防護ネットで覆い、背面側の囲い部材を囲むようにコ字形の門型のポールを立設し、該ポールに背面側の囲い部材を固定し、前記ポールには植木鉢の保持棚と広告板を設けたゴミ集積ボックスにおいて、前記ポールおよび防護ネットにテグスを設けることを要旨とするものである。
【００１１】
第２に、ポールの側面に、清掃用具を掛止し、保護部材を備えたフックを設けることを要旨とするものである。
【００１２】
第３に、前面側の囲い部材の中央に位置する支持部材の上部に把手を取り付け、支持部材間に索条を着脱自在に取り付けることを要旨とするものである。
【００１３】
第４に、囲い部材内に複数の分別ゴミの収容容器を着脱自在に取り付けることを要旨とするものである。
【００１４】
第５に、前面側の支持部材と背面側の支持部材との間に索条を架け渡し、該索条に取り付けた係止部材および前記支持部材で分別ゴミの収容容器を吊支することを要旨とするものである。
【００１５】
第６に、ポールは、アンカーボルトを介して擁壁などの構築物に固定することを要旨とするものである。
【００１６】
請求項１記載の本発明によれば、前後の分割部材で構成する左右側面側の囲い部材を中心から前後に中折れ状態にして後端部の軸着部を中心にして背面側に回動し、背面側の囲み部材の前面に重ねれば、全体を偏平な状態に折り畳める。よって、ゴミを収集しない時は、このような折り畳み状態にしておけば、道路の中央側に突出せず、歩行や自動車の通行の妨げにならない。また、ゴミ収集時には左右側面側の囲い部材を前方に引き出せば、容易に囲いが形成できる。
【００１７】
このように左右側面側の囲い部材や前面側の囲い部材を背面側の囲い部材に対して引出しまたは偏平に折り畳む開閉操作は、中央の支持アームをその中央で押し下げたり引き上げる操作でワンタッチ的に簡単に行える。さらに、左右側面側の囲い部材は前後に分割できるから、分割状態にすれば、移動、運搬が容易で、設置場所に簡単に搬送できる。
【００１８】
そして、背面側、前面側および左右側面側の囲い部材の上方を防護ネットで覆うことにより、ボックスに集積されたゴミが収集されるまでの間に、烏や猫などの動物によってゴミが食い散らかされることを防止できる。そして、このネットは囲い部材の上部から上方に突設した支持部材で支承され張設されているから、ゴミ収集の際はネットの端をめくるだけで収集作業を行うことができ、また、収集後にボックスを折り畳む際も、ネットを取り付けたままの状態でネット毎全体を折り畳めるから、開閉の都度ネットの着脱を行う必要がなく操作性がよい。
【００１９】
さらに、ボックスの設置は、設置場所にコ字形の門型のポールを立設し、該ポールの内側に背面側の囲い部材を固定するだけでよいから、容易に行える。また、設置後、囲み部材全体が背面側、左右側面側および前面側で相互に撓むような遊びを持たせることもでき、かかる場合にも背面側の囲い部材が強固なポールで支持されているから、全体の設置強度を確保できる。さらに、囲い部材を偏平に折り畳んだ状態では囲み部材はポールの内側に収容されるから、囲い部材がポールで保護される。
【００２０】
また、ポールの保持棚に植木鉢を設置したり、広告板に周囲の景観にマッチする図柄、例えば、草木などの絵を描くことにより、道路際に常設のものとしたときでも、ゴミ収集の時間帯以外の使用されない時間の方が長く、また、汚れが目立ちやすいゴミ集積ボックスが街の景観を損なうことを防止できる。
【００２１】
そして、前記防護ネットに加えて、さらにテグスを設けることで、鳥、特に烏による被害を防止できる。
【００２２】
請求項２記載の本発明によれば、前記作用に加えて、ポールの側面に設ける、清掃用具を掛止するフックには、保護部材を設けたから、清掃用具に人が接触して怪我することなどの事故や、清掃用具が風などで飛ばされる事故を防止でき、屋外に設置するものとしての安全性を向上できる。
【００２３】
請求項３記載の本発明によれば、前記作用に加えて、中央の支持アームをその中央で押し下げたり引き上げる操作を行う際に、把手をもって前面側の囲い部材を前後に移動することで囲い部材の開閉操作がより容易になる。
【００２４】
さらに、支持部材間に取り付けた索条により、囲い部材内に不要に立ち入ることを阻止でき、また、支持部材上に張設した防護ネットも所定形状を保持できる。
【００２５】
請求項４記載の本発明によれば、前記作用に加えて、分別ゴミの収容容器を複数個取り付けることで、例えば、缶類、ビン類、ペットボトルなどのプラスチック類、紙屑類などのゴミが分別収集され、特に公園などの公共場所でのゴミの分別収集に役立ち、公共の場所でのゴミ放置が少なくなり、環境の美化に貢献できる。そして、この分別ゴミの収容容器は着脱自在なものとしてあるから、これを取り外すことで一般の家庭ゴミ収集用に使用できる。
【００２６】
請求項５記載の本発明によれば、前記作用に加えて、分別ゴミの収容容器を索条に取り付けた係止部材および前記支持部材で吊支するようにしたから、着脱が容易である。また、分別ゴミの収容容器を取り外し、一般の家庭ゴミ収集用に使用する場合、前記索条や係止部材が邪魔になることもなく、そのままの状態で使用できる。
【００２７】
請求項６記載の本発明によれば、ポールは、アンカーボルトを介して擁壁などの構築物に固定するから、ゴミ集積ボックスの設置場所が擁壁のように固定のための取っかかりの少ないものの場合であっても、上部も固定され、安定した状態で設置される。
【００２８】
【発明の実施の形態】
以下、図面について本発明の実施の形態を詳細に説明する。図１は本発明のゴミ集積ボックスの実施形態を示す組立てた状態の斜視図で、本発明のゴミ集積ボックス１は、背面側の囲い部材２と左右側面側の囲い部材３と前面側の囲い部材４とで形成される囲い部材Ａと、背面側の囲い部材２が固定される門型のコ字形のポール５とで構成される。各囲い部材２，３，４は材質としてアルミニウム、鉄、ステンレスなどを使用し、形態としては網形状、格子状、柵形状などフェンスとして機能するものであれば図示のような網形状のものに限定されない。
【００２９】
ポール５は、図２に示すように、直径約６０ｍｍ程度の円管をコ字形に折り曲げて高さ約１０００ｍｍ、長さ１６００ｍｍ程度の本体５ａとし、地中に埋設した円管状の脚柱５ｂに挿入して固定する。
【００３０】
本体５ａの上部で、左右端部近傍に高さ２７０ｍｍ程度でパイプ状の支柱６，６を立設し、この支柱６，６の間に植木鉢の保持棚７を取り付ける。この保持棚７は、細長の枠状に形成したもので、長さ方向に適宜間隔で複数（図示の例では４個）の保持孔７ａを形成した。該保持孔７ａの直径は例えば１００ｍｍとする。
【００３１】
支柱６，６の左右両側に位置させて広告板８を取り付ける。該広告板８は支柱６とほぼ同じ高さで、ポール５の本体５ａより外方に突出しない長さとする。そして、この広告板８は自治会の掲示板として使用する他に、街の案内図や商店の広告、周囲の景観にマッチする図柄、例えば草木などの絵を描く。
【００３２】
囲い部材Ａは、前記のように背面側の囲い部材２と左右側面側の囲い部材３と前面側の囲い部材４とで形成されるが、背面側の囲い部材２と前面側の囲い部材４とは基本的には同一の構成であり、ここでは背面側の囲い部材２を例にとって図３について説明する。
【００３３】
背面側の囲い部材２は、ポール５の本体５ａの内側に納まるサイズのものとして、横方向の長さが約１５００ｍｍ、高さ４４０ｍｍ程度の大きさに形成し、周囲を方形の枠体２ａで囲み、その内側に網状体２ｂを形成した。枠体２ａのうち、左右両側の縦枠はＬ字形のアングル鋼板で形成する。
【００３４】
かかる枠体２ａの上部から、少なくとも左右両端と中央に縦長の枠状の支持部材９を突設し、該支持部材９の上部および枠体２ａの縦枠の外側に突設した連結杆１０の先端をポール５の本体５ａの内側に溶接により接合して枠体２ａをポール５の本体５ａに固定する。
【００３５】
左右側面側の囲い部材３は図４に示すように、前後の分割部材３ａ，３ｂで中折れ可能に構成し、前後の分割部材３ａ，３ｂ同志を蝶番１１で回動自在に結合するとともに、後側の分割部材３ｂを背面側の囲い部材２の枠体２ａの左右両側の縦枠に蝶番１１で回動自在に結合し、また、前側の分割部材３ａを前面側の囲い部材４の枠体４ａの縦枠に同じく蝶番１１で回動自在に結合する。
【００３６】
この場合、蝶番１１は前後の分割部材３ａ，３ｂ同志が中折れする方向、また、後側の分割部材３ｂおよび前側の分割部材３ａがそれぞれ囲い部材Ａの内側に折れる方向には回動するが、その反対方向へは、前後の分割部材３ａ，３ｂが一枚物の平板状の状態になった後はそれ以上の回動が阻止されるように構成しておく。
【００３７】
各分割部材３ａ，３ｂの構成も、背面側の囲い部材２、前面側の囲い部材４と同様であり、周囲の枠体の内側に網状体を形成したものである。
【００３８】
このようにして図１に示すように方形の枠状に形成される囲い部材Ａの、背面側の囲い部材２の中央と前面側の囲い部材４の中央とを、中折れ自在な支持アーム１２で連結する。
【００３９】
この支持アーム１２は、前側の支持アーム１２ａと後側の支持アーム１２ｂとの組み合わせで構成し、前側の支持アーム１２ａの前端を前面側の囲い部材４の枠体４ａの上部に回動自在に軸着し、後側の支持アーム１２ｂの後端を背面側の囲い部材２の枠体２ａの上部に回動自在に軸着し、さらに、前側の支持アーム１２ａの後端と後側の支持アーム１２ｂの前端とを回動自在に軸着した。図中１４は支持アーム１２の長さ方向に適宜間隔で多数穿設した孔を示し、支持アーム１２の軽量化を図るためのものである。
【００４０】
図中１３は、前面側の囲い部材４の上部に突設した支持部材９の上部に取り付けた把手を示し、前面側の囲い部材４も基本構成は前記したように背面側の囲い部材２と同様であるが、背面側の囲い部材２に溶接した連結杆１０は不要である。
【００４１】
そして、背面側の囲い部材２および前面側の囲い部材４にそれぞれ取り付けた支持部材９の隣接するもの同志の間にチェーンなどの索条１５を架け渡す。この場合、該索条１５は、一端を半田付けなどにより中央位置の支持部材９の側部に固定し、他端を側部位置の支持部材９の側部に取り付けたフックなどに着脱自在に係止する。
【００４２】
さらに、図２に示すようにポール５に取り付けた支柱６の上にコ字形のフレーム１６を架設する。該フレーム１６の取付けは、支柱６を中空のパイプ状に形成しておくことで、この支柱６の中空部内にフレーム１６の下端を挿入する。
【００４３】
図１において、図中１７は防護ネットを示し、支持部材９で支持するようにして囲い部材Ａの上方を覆うものであり、図６に示すように上面部１７ａ、前面部１７ｂ、左右の側面部１７ｃを連続して形成し、背面側を開放面とした箱型のものである。
【００４４】
さらに、フレーム１６、広告板８および防護ネット１７の上にフック１８を適宜取り付けて、このフックにテグス１９を取り付ける。
【００４５】
図中２０は箒や塵取りなどの清掃用具を掛けるフックを示し、ポール５の側面に設けたものであり、Ｃ字形のフック本体２０ａが保護部２０ｂに取り付けられる。保護部２０ｂは、１本の鋼製の丸棒を折り曲げたもので、ポール５の本体５ａの縦枠の側面に固定される直線部２１ａを一端とし、これに続けてＵ字形の折り曲がり部２１ｂを水平に形成し、さらに垂直部２１ｃを立ち下げて形成してその下端にＵ字形の折り曲がり部２１ｄを水平に形成し、これに続けて垂直部２１ｅを立ち上げて形成してその上端を上方のＵ字形の折り曲がり部２１ｂの下面に溶接して形成した。
【００４６】
かかるゴミ集積ボックス１を車道や歩道等の道路の端に設置するには、例えば道路の端に配設してあるブロックに固定用の孔を穿設し、この孔に脚柱５ｂを埋設し、該脚柱５ｂにポール５の本体５ａの下部を挿入し固定する。このポール５の固定により、該ポール５に固定してある囲い部材Ａのうちの背面側の囲い部材２も同時に道路に設置されることになる。
【００４７】
次に、蝶番１１を介して左右の側面側の囲い部材３の後端を背面側の囲い部材２に結合し、さらに、左右の側面側の囲い部材３の前端に前面側の囲い部材４の端部を蝶番１１を介して結合する。また、前面側の囲い部材４に取り付けてある前側の支持アーム１２ａと背面側の囲い部材２に取り付けてある後側の支持アーム１２ｂとを連結し、支持アーム１２を前面側の囲い部材４と背面側の囲い部材２との間に折り畳み自在に架け渡す。これにより、上面を開放面とした囲い部材Ａがボックス状に組み立てられ、支持アーム１２がつっかえ棒として機能して方形が保持される。
【００４８】
さらに、支持部材９に防護ネット１７を被せて囲い部材Ａの上方を覆い、ポール５の側面に設けたフック２０に清掃用具を掛ける。また、植木鉢の保持棚７に形成した保持孔７ａに必要に応じて植木鉢を配置する。
【００４９】
こうして平面方形に組み立てられたゴミ集積ボックス１内に上部の開放面からゴミを投入する。ゴミ投入時には、投入者が各自で、防護ネット１７の手前側を手で少しだけ引き上げてゴミ投入用の開口を作ればよい。投入されたゴミは、ゴミ収集車で収集する。この収集の際も、作業員が防護ネット１７の手前側を手で引き上げてゴミ取り出し用の開口を形成する。
【００５０】
収集までの間は、防護ネット１７により烏や猫等の動物によりゴミが食い散らかされることを防止できる。また、テグス１９により、特に烏による被害をくい止めることができる。
【００５１】
また、囲い部材Ａが引き出されて設置されている状態では、背面側の囲い部材２、左右側面側の囲い部材３、前面側の囲い部材４はそれぞれ蝶番１１で連結されているから、囲い部材Ａ全体として撓むような遊びを有し、子供などが囲い部材Ａにぶつかっても囲い部材Ａがしなることにより、衝撃を吸収でき大きな怪我をすることを防止できる。
【００５２】
ゴミ収集後、周囲の道路上などに飛散したゴミは、ポール５に取り付けてある清掃用具で清掃する。清掃用具は、不使用時にはフック２０に掛止されているが、この状態では保護部２０ｂの上下に形成した水平の折り曲がり部２１ｂ、２１ｄの内部に納まるから、風などの力を受けて搖れ動いてもぐらついたり、飛散することを防止でき、安全性を確保できる。
【００５３】
ゴミ収集後に引き出された囲い部材Ａを折り畳むには、把手１３をもって、前面側の囲い部材４を後方に押せば、後方への押圧力によって左右側面側の囲い部材３が蝶番１１の箇所で中折れ状態となって前後の分割部材３ａ，３ｂが折り畳まれ、これら前後の分割部材３ａ，３ｂと前面側の囲い部材４とが重合した状態で背面側の囲い部材２の前面に折り重なり、全体が偏平状態に畳まれる（図５参照）。
【００５４】
このとき、中央の支持アーム１２は、前後の支持アーム１２ａ，１２ｂが結合箇所で上方に持ち上がり中折れ状態となり、前後の支持アーム１２ａ，１２ｂは立ち上がった状態で前後に重なる。そして、前後の支持アーム１２ａ，１２ｂが折り畳まれるときに、支持アーム１２によって前面側の囲い部材４が後方に引き寄せられることになり、囲い部材Ａの折り畳みはワンタッチ的にスムーズに行える。
【００５５】
そして、支持アーム１２には多数の孔１４が穿設されて軽量化が図られているから、前後の支持アーム１２ａ，１２ｂは容易に引き上げられ、また、手を添えて引き上げを助ける場合にも、作業性のよいものになっている。
【００５６】
また、囲い部材Ａを折り畳むとき、防護ネット１７を外す必要はなく、装着したままの状態で、防護ネット１７毎囲い部材Ａ全体を折り畳める。
【００５７】
さらに、折り畳んだ状態では、囲い部材Ａは偏平になりポール５の内側に納まるから、ポール５により囲い部材Ａの保護が図れる。
【００５８】
次回のゴミ収集時には、把手１３をもって前面側の囲い部材４を手前に引き出せば、前面側の囲い部材４と左右側面側の囲い部材３が同時に前方に引き出され、また、同時に支持アーム１２も一本物の水平状態となって、ワンタッチ的に上面が開放されたボックス形状に形成できる。
【００５９】
前記実施形態は、ゴミ集積ボックスを一般の家庭ゴミ収集用のものとした場合であるが、本発明のゴミ集積ボックスは駅前、公園、野球場、霊園、公民館、体育館などの公共場所や、工場内、スーパー駐車場等における分別ゴミの収集用としても使用できるもので、そのための構成を次に説明する。
【００６０】
分別ゴミは、一般に、缶類、ビン類、ペットボトルなどのプラスチック類、紙屑などの可燃ゴミの４種類であるとが多いことから、分別ゴミの収容容器２２ａ，２２ｂ，２２ｃ，２２ｄを４個、囲い部材Ａの内側に着脱自在に配設する。収容容器２２ａ，２２ｂ，２２ｃ，２２ｄは、例えば、ネット袋で形成し、上面を開口に形成したものの開口縁の四隅に囲い部材Ａへの係止手段としてのループ２３を取り付ける。この４個の収容容器２２ａ，２２ｂ，２２ｃ，２２ｄは、４個を縦横２列につなげ、または分離したままでもよい。
【００６１】
一方、囲い部材Ａの側には、背面側の支持部材９と前面側の支持部材９との間に、チェーンなどの索条２４を架け渡し、該索条２４の中央に係止部材としてフック２５を取り付ける。この場合、中央に位置する支持部材９には索条２４を２本取り付けて、左右に位置する索条２４に取り付けたフック２５はそれぞれ外向きとし、中央に位置する２本の索条２４に取り付けたフック２５は、対向するものどうしを向かい合わせる。
【００６２】
このようにして各分別ゴミの収容容器２２ａ，２２ｂ，２２ｃ，２２ｄに取り付けてあるループ２３を前記フック２５に引っかければ、分別ゴミの収容容器２２ａ，２２ｂ，２２ｃ，２２ｄが囲い部材Ａの内側にセットされる。よって、この状態でゴミ集積ボックスを公園などの公共場所や道路に設置すれば、飲料缶、飲料ビン、ペットボトル、雑誌などの紙類が公共施設や路上などに投棄されることなく、この収容容器２２ａ，２２ｂ，２２ｃ，２２ｄ内に分別されて収集され、周囲の景観が損なわれることがなくなる。
【００６３】
なお、収容容器２２ａ，２２ｂ，２２ｃ，２２ｄは図１０に示すようにポリエチレンなどの袋とすることもでき、また、収容容器２２ａ，２２ｂ，２２ｃ，２２ｄの開口縁に、ゴミの種類毎に異なる色の紐２６を通せば、分別の種類が一目で判断できると同時に、回収時に紐２６を引けば開口を閉じることができ、回収作業が容易になる。
【００６４】
ポール５の固定手段として、前記した実施形態では本体５ａを地中に埋設した円管状の脚柱５ｂに挿入するパイプ方式としたが、これに限定されるものではなく、他の例として図１１〜図１９に示すようなボルト方式とすることもできる。
【００６５】
このボルト方式は、基本的には図１１、図１２に示すようにポール５の本体５ａの下部に挿着される連結金物２７と、先端にナット２８ａを取り付けたボルト２８とで構成するもので、前記連結金物２７は、下部にフランジ２７ｂを設けた２重管構造とし内管部分の内側に前記ボルト２８が螺合するネジ部２７ａを形成した。
【００６６】
かかるボルト２８を使用してポール５を道路などに立設するには、第１例として図１１に示すように本体５ａの下部に連結金物２７を挿入し、連結金物２７に形成してあるネジ部２７ａにボルト２８を螺合する。この場合、連結金物２７にはフランジ２７ｂが設けてあるから、このフランジ２７ｂがストッパーとして機能し連結金物２７が本体５ａの内部に入り込むことはない。
【００６７】
このようにして連結金物２７を介してボルト２８を取り付けた本体５ａを道路などに固定するには、第１例として図１３〜図１５に示すように道路面を僅か（例えば２０ｍｍ程度）堀り、ここに図１２に示すような鉄板などの板状部材２９を配設し、該板状部材２９に設けた孔部２９ａにボルト２８の端部に取り付けたナット２８ａを装着する。
【００６８】
これにより板状部材２９、ボルト２８を介してポール５を立設する。この場合、ポール５の立設は、板状部材２９を配設できるスペースがあればよいから、図１３、図１４に示すようにブロック塀３１と側溝３０の間の僅かな隙間にも立設が可能となる。
【００６９】
そして、ボルト２８に対するネジ部２７ａの螺合位置を調節することで、ポール５の立設高さを調整できる。
【００７０】
図１６〜図１９は、ボルト２８を使用してポール５を立設する第２例を示し、ボルト２８の下部を地中に直接埋設し、地上に突出させたボルト２８の上部に連結金物２７を介して本体５ａを結合する。この場合も、ボルト２８を埋設できるスペースがあればよいから、ブロック塀３１と側溝３０の間の僅かな隙間にもポール５の立設が可能となる。
【００７１】
また、ゴミ集積ボックス１は住宅街に設置されることが多く、住宅のブロック塀３１の前に設置されることもある。かかる場合、ゴミ集積ボックス１をブロック塀３１に固定することも考えられるが、固定手段を次に説明する。図１３、図１４はその第１例を示し、本体５ａの上部に通常「デンデン」と称せられる図２４に示すようなリング状の取付金物３２を取り付け、この取付金物３２を図２０〜図２３に示すようなフック状の固定金具３３でブロック塀３１に固定する。
【００７２】
フック状の固定金具３３は、図２０、図２１に示す道路側に配置されるＬ字形の固定金具３３ａと、宅地内側に配置されるＬ字形の固定金具３３ｂとの分割体の組み合わせで構成され、それぞれの頂部には幅調節兼固定用の孔３４ａおよび長孔３４ｂが穿設され、垂直部には固定用の孔３５が穿設されている。
【００７３】
このフック状の固定金具３３をブロック塀３１に固定するには、道路側に配置されるＬ字形の固定金具３３ａをポール５に固定し、宅地内側に配置されるＬ字形の固定金具３３ｂをブロック塀３１の宅地内側に固定する。この場合、固定金具３３ａ，３３ｂのそれぞれの頂部をブロック塀３１の上面に掛止して上下に重合する。
【００７４】
そして、固定金具３３ａ，３３ｂのそれぞれの頂部に穿設してある複数の孔３４ａおよび長孔３４ｂをブロック塀３１の幅に対応させて選択し重ね合わせて結合する。これにより、固定金具３３がブロック塀３１に固定され、該固定金具３３を介してポール５がブロック塀３１に固定される。
【００７５】
図１６、図１７は、ゴミ集積ボックス１をブロック塀３１に固定する第２例を示し、ブロック塀３１を貫通させてアンカーボルト３６を取り付け、該アンカーボルト３６に、ポール５に取り付けたリング状の取付金物３２を固定する。この場合、アンカーボルト３６の先端はブロック塀３１の宅地中側に突出させナットで固定する。
【００７６】
図１８、図１９はゴミ集積ボックス１を擁壁３７に固定する第３例を示し、この場合はアンカーボルト３６を擁壁３７に打ち込み、該アンカーボルト３６に、ポール５に取り付けたリング状の取付金物３２を固定する。
【００７７】
【発明の効果】
以上述べたように本発明のゴミ集積ボックスは、道路端にゴミ集積ボックスを設置する場合に、ゴミ収集日の収集が終了した後は全体を偏平に折り畳めるから、このゴミ集積ボックスが道路に大きく突出することがなく、歩行者や自動車の通行の邪魔になることを防止でき、設置や移動、折り畳みまた引出しもワンタッチ的に行うことができ容易であり使い勝手がよく、また、特に公園などの公共場所に設置する場合であっても周囲の景観を損なうおそれがなく、分別ゴミの収集も容易なものである。
【図面の簡単な説明】
【図１】  本発明のゴミ集積ボックスの実施形態を示す引き出した状態の斜視図である。
【図２】  本発明のゴミ集積ボックスの実施形態を示す要部であるポールの斜視図である。
【図３】  本発明のゴミ集積ボックスの実施形態を示す要部である背面側の囲い部材の斜視図である。
【図４】  本発明のゴミ集積ボックスの実施形態を示す要部である左右側面側の囲い部材の斜視図である。
【図５】  本発明のゴミ集積ボックスの実施形態を示す折り畳んだ状態の斜視図である。
【図６】  本発明のゴミ集積ボックスの実施形態を示す要部である防護ネットの斜視図である。
【図７】  本発明のゴミ集積ボックスの実施形態を示す要部である清掃用具掛止用のフックの斜視図である。
【図８】  本発明のゴミ集積ボックスの実施形態を示す要部である分別ゴミの収容容器の斜視図である。
【図９】  本発明のゴミ集積ボックスの実施形態を示す分別ゴミの収容容器をセットした場合の斜視図である。
【図１０】  本発明のゴミ集積ボックスの実施形態を示す要部である分別ゴミの収容容器の他の例の斜視図である。
【図１１】  本発明のゴミ集積ボックスの実施形態を示すポールの固定手段の他の例を示す縦断正面図である。
【図１２】  本発明のゴミ集積ボックスの実施形態を示すポールの固定手段の構成部材である連結金物の縦断正面図である。
【図１３】  本発明のゴミ集積ボックスの実施形態を示すポールの固定手段の第１例を示す斜視図である。
【図１４】  本発明のゴミ集積ボックスの実施形態を示すポールの固定手段の第１例を示す縦断側面図である。
【図１５】  本発明のゴミ集積ボックスの実施形態を示すポールの固定手段の第１例を示す板状部材の斜視図である。
【図１６】  本発明のゴミ集積ボックスの実施形態を示すポールの固定手段の第２例を示す斜視図である。
【図１７】  本発明のゴミ集積ボックスの実施形態を示すポールの固定手段の第２例を示す縦断側面図である。
【図１８】  本発明のゴミ集積ボックスの実施形態を示すポールの固定手段の第３例を示す斜視図である。
【図１９】  本発明のゴミ集積ボックスの実施形態を示すポールの固定手段の第３例を示す縦断側面図である。
【図２０】  本発明のゴミ集積ボックスの実施形態を示すポールの固定手段の第１例で使用する固定金具の一方の分割体の縦断側面図である。
【図２１】  本発明のゴミ集積ボックスの実施形態を示すポールの固定手段の第１例で使用する固定金具の一方の分割体の平面図である。
【図２２】  本発明のゴミ集積ボックスの実施形態を示すポールの固定手段の第１例で使用する固定金具の他方の分割体の縦断側面図である。
【図２３】  本発明のゴミ集積ボックスの実施形態を示すポールの固定手段の第１例で使用する固定金具の他方の分割体の平面図である。
【図２４】  本発明のゴミ集積ボックスの実施形態を示すポールの固定手段である取付金物の斜視図である。
【符号の説明】
Ａ…囲い部材
１…ゴミ集積ボックス            ２…背面側の囲い部材
２ａ…枠体                      ２ｂ…網状体
３…側面側の囲い部材            ３ａ，３ｂ…分割部材
４…前面側の囲い部材            ４ａ…枠体
５…ポール
５ａ…本体                      ５ｂ…脚柱
６…支柱                        ７…保持棚
７ａ…保持孔                      ８…広告板
９…支持部材                    １０…連結杆
１１…蝶番                      １２，１２ａ，１２ｂ…支持アーム
１３…把手                      １４…孔
１５…索条                      １６…フレーム
１７…防護ネット                １７ａ…上面部
１７ｂ…前面部                  １７ｃ…側面部
１８…フック                    １９…テグス
２０…フック                    ２０ａ…フック本体
２０ｂ…保護部                  ２１ａ…直線部
２１ｂ…折り曲がり部            ２１ｃ…垂直部
２１ｄ…折り曲がり部            ２１ｅ…垂直部
２２ａ，２２ｂ，２２ｃ，２２ｄ…収容容器
２３…ループ                    ２４…索条
２５…フック                    ２６…紐
２７…連結金物                  ２７ａ…ネジ部
２７ｂ…フランジ                ２８…ボルト
２８ａ…ナット                  ２９…板状部材
２９ａ…孔部                    ３０…側溝
３１…ブロック塀                ３２…取付金物
３３…固定金具                  ３３ａ、３３ｂ…固定金具
３４ａ…孔                      ３４ｂ…長孔
３５…孔                        ３６…アンカーボルト
３７…擁壁
【図１】
0003664709.tif 000002
【図２】
0003664709.tif 000003
【図３】
0003664709.tif 000004
【図４】
0003664709.tif 000005
【図５】
0003664709.tif 000006
【図６】
0003664709.tif 000007
【図７】
0003664709.tif 000008
【図８】
0003664709.tif 000009
【図９】
0003664709.tif 000010
【図１０】
0003664709.tif 000011
【図１１】
0003664709.tif 000012
【図１２】
0003664709.tif 000013
【図１３】
0003664709.tif 000014
【図１４】
0003664709.tif 000015
【図１５】
0003664709.tif 000016
【図１６】
0003664709.tif 000017
【図１７】
0003664709.tif 000018
【図１８】
0003664709.tif 000019
【図１９】
0003664709.tif 000020
【図２０】
0003664709.tif 000021
【図２１】
0003664709.tif 000022
【図２２】
0003664709.tif 000023
【図２３】
0003664709.tif 000024
【図２４】
0003664709.tif 000025